(57)【要約】  本発明は対話型情報システム、対話型情報方法及びそのコンピュータ読み取り可能な媒体を提供する。この対話型情報システムは、読み取り装置と、第１伝送インタフェースと、処理ユニットと、第２伝送インタフェースと、出力装置と、を備える。この対話型情報システムは、複数の情報ガジェットに合わせて使用されるように構成される。情報ガジェットがこの読み取り装置の読み取り範囲に入ると、この読み取り装置がこの情報ガジェットを読み取り、この情報ガジェットに関連する信号を生成し、そしてこの信号をこの処理ユニットに伝送する。そして、この処理ユニットがこの信号によって示される情報ガジェットを識別し、この情報ガジェットによってファイルを取り込み、そしてこのファイルをこの出力装置に伝送する。最後に、この出力装置が処理ユニットから受信したファイルを出力する。【選択図】図１Ａ
2013518292.tif 000002
【特許請求の範囲】
【請求項１】
対話型情報システムであって、
信号を受信するための第１伝送インタフェースと、
データベースを記憶するための記憶ユニットと、
前記第１伝送インタフェース及び前記記憶ユニットに電気的に接続され、前記第１伝送インタフェースから前記信号を受信し、前記信号によって示される第１情報ガジェットを識別し、且つ前記第１情報ガジェットにより前記データベースから第１ファイルを取り込むための処理ユニットと、
前記処理ユニットに電気的に接続され、前記第１ファイルを伝送するための第２伝送インタフェースと、を備えることを特徴とする対話型情報システム。
【請求項２】
前記第１情報ガジェットは識別子を有し、前記処理ユニットは前記識別子によって前記第１情報ガジェットを識別し、前記第１情報ガジェットを表す識別コードを生成し、且つ前記ＩＤコードによって前記第１ファイルを取り込むことを特徴とする請求項１に記載の対話型情報システム。
【請求項３】
前記第２伝送インタフェースに電気的に接続され、前記第２伝送インタフェースから前記第１ファイルを受信して出力するための出力装置を更に備えることを特徴とする請求項１に記載の対話型情報システム。
【請求項４】
前記出力装置は表示ユニット及びスピーカーを備え、前記第１ファイルはビデオ部及びオーディオ部を含み、前記表示ユニットが前記第１ファイルの前記ビデオ部及び前記第１情報ガジェットの映像を表示し、且つ前記スピーカーが前記第１ファイルの前記オーディオ部を放送することを特徴とする請求項３に記載の対話型情報システム。
【請求項５】
前記第１伝送インタフェースに電気的に接続され、前記第１情報ガジェットを読み取り、且つ前記第１情報ガジェットに関連する前記信号を生成するための読み取り装置を更に備えることを特徴とする請求項１に記載の対話型情報システム。
【請求項６】
前記第１情報ガジェットが前記表示ユニットに表示され、前記対話型情報システムは、
前記第１伝送インタフェースに電気的に接続され、該入力装置が前記表示ユニットに表示される前記第１情報ガジェットを選択する場合に前記信号を生成するための入力装置を更に備えることを特徴とする請求項４に記載の対話型情報システム。
【請求項７】
前記読み取り装置はネットワークカメラであり、前記読み取り装置はさらに前記読み取り装置の前方のシーンの映像をリアルタイムで連続して取り込み、且つ前記表示ユニットはさらにユーザーインタフェースに取り込まれた前記シーンの映像と前記第１ファイルを連続して表示することを特徴とする請求項５に記載の対話型情報システム。
【請求項８】
前記信号は更に第２情報ガジェットに関連し、且つ前記処理ユニットはさらに前記信号によって示される前記第２情報ガジェットを識別し、そして前記情報ガジェットの数が１よりも大きいことを決定することを特徴とする請求項４に記載の対話型情報システム。
【請求項９】
前記処理ユニットはさらに前記第１情報ガジェットと前記第２情報ガジェットとの間の距離が所定の距離よりも小さくないことを決定し、そして前記第２情報ガジェットによって第２ファイルを取り込み、且つ前記表示ユニットはさらに前記処理ユニットから前記第２ファイルを受信して前記第２ファイル及び前記第２情報ガジェットの映像を表示することを特徴とする請求項８に記載の対話型情報システム。
【請求項１０】
前記処理ユニットは前記第１情報ガジェットと前記第２情報ガジェットとの間の距離が所定の距離よりも小さいことを決定し、そして各前記第１情報ガジェットと前記第２情報ガジェットの位置によって前記第１情報ガジェットと前記第２情報ガジェットの順序を決定し、且つ前記順序によって前記第１情報ガジェットと前記第２情報ガジェットとの組合せを表すグループ化ＩＤコードを生成し、ここで、前記処理ユニットは前記グループ化ＩＤコードによって前記第１ファイルを取り込むことを特徴とする請求項８に記載の対話型情報システム。
【請求項１１】
前記処理ユニットはネットワークサーバーに接続され、さらに前記ネットワークサーバーから学習材料を受信することを特徴とする請求項１に記載の対話型情報システム。
【請求項１２】
前記処理ユニットはさらに前記学習材料に関連する学習結果を記録して前記ネットワークサーバーに伝送することを特徴とする請求項１１に記載の対話型情報システム。
【請求項１３】
前記処理ユニットは認証サーバーに接続され、前記読み取り装置はさらにアクティブガジェットを取り込み、そして前記アクティブガジェットに関連するアクティブ信号を生成し、且つ前記処理ユニットはさらに前記読み取り装置から前記アクティブ信号を受信し、前記アクティブ信号によって示される前記アクティブガジェットを識別して前記認証サーバーとアクティブプログラムを実行することを特徴とする請求項５に記載の対話型情報システム。
【請求項１４】
第１伝送インタフェースと、データベースを記憶する記憶ユニットと、前記第１伝送インタフェース及び前記記憶ユニットに電気的に接続される処理ユニットと、前記処理ユニットに電気的に接続される第２伝送インタフェースとを備える対話型情報システムに用いられる対話型情報方法であって、
前記第１伝送インタフェースが信号を受信するようにさせるステップ（ａ）と、
前記処理ユニットが前記第１伝送インタフェースから前記信号を受信するようにさせるステップ（ｂ）と、
前記処理ユニットが前記信号によって示される第１情報ガジェットを識別するようにさせるステップ（ｃ）と、
前記処理ユニットが前記第１情報ガジェットによって前記データベースから第１ファイルを取り込むようにさせるステップ（ｄ）と、
前記第２伝送インタフェースが前記第１ファイルを伝送するようにさせるステップ（ｅ）と、を含むことを特徴とする対話型情報方法。
【請求項１５】
前記第１情報ガジェットは識別子を有し、且つ前記ステップ（ｂ）は前記処理ユニットが前記識別子によって前記第１情報ガジェットを識別するようにさせ、前記ステップ（ｃ）は前記処理ユニットが前記第１情報ガジェットを表すＩＤコードを生成するようにさせ、前記ステップ（ｄ）は前記処理ユニットが前記ＩＤコードによって前記第１ファイルを取り込むようにさせることを特徴とする請求項１４に記載の対話型情報方法。
【請求項１６】
前記対話型情報システムは出力装置を更に含み、前記対話型情報方法は、
前記出力装置が前記第２伝送インタフェースから前記第１ファイルを受信するようにさせるステップ（ｆ）と、
前記出力装置が前記第１ファイルを出力するようにさせるステップ（ｇ）と、を更に含むことを特徴とする請求項１４に記載の対話型情報方法。
【請求項１７】
前記出力装置は表示ユニット及びスピーカーを更に含み、前記第１ファイルはビデオ部及びオーディオ部を含み、前記ステップ（ｇ）は、
前記表示ユニットが前記第１ファイルの前記ビデオ部及び前記第１情報ガジェットの映像を表示するようにさせるステップ（ｇ１）と、
前記スピーカーが前記第１ファイルの前記オーディオ部を放送するようにさせるステップ（ｇ２）と、を含むことを特徴とする請求項１６に記載の対話型情報方法。
【請求項１８】
前記対話型情報システムは前記第１伝送インタフェースに電気的に接続される読み取り装置を更に含み、前記対話型情報方法は、
前記読み取り装置が前記第１情報ガジェットを読み取るようにさせるステップ（ｆ）と、
前記読み取り装置が前記ステップ（ｆ）の結果によって前記第１情報ガジェットに関連する前記信号を生成するようにさせるステップ（ｇ）と、を更に含むことを特徴とする請求項１４に記載の対話型情報方法。
【請求項１９】
前記対話型情報システムは前記第１伝送インタフェースに電気的に接続される入力装置を更に含み、前記対話型情報方法は、
前記表示ユニットが前記ステップ（ａ）を実行する前の時点から前記第１情報ガジェットを表示し始めるようにさせるステップ（ｈ）と、
前記入力装置は該入力装置が前記表示ユニットに表示される前記第１情報ガジェットを選択する場合に前記信号を生成するようにさせるステップ（ｉ）と、を更に含むことを特徴とする請求項１７に記載の対話型情報方法。
【請求項２０】
前記読み取り装置はネットワークカメラであり、前記対話型情報方法は、
前記読み取り装置が前記読み取り装置の前方のシーンの映像をリアルタイムで連続して取り込むようにさせるステップ（ｈ）と、
前記表示ユニットがユーザーインタフェースに取り込まれた前記シーンの映像と前記第１ファイルを連続して表示するようにさせるステップ（ｉ）と、を更に含むことを特徴とする請求項１８に記載の対話型情報方法。
【請求項２１】
前記信号は更に第２情報ガジェットに関連し、前記対話型情報方法は、
前記処理ユニットが前記信号によって示される前記第２情報ガジェットを識別するようにさせるステップ（ｈ）と、
前記処理ユニットが前記情報ガジェットの数が１よりも大きいことを決定するようにさせるステップ（ｉ）と、を更に含むことを特徴とする請求項１７に記載の対話型情報方法。
【請求項２２】
前記処理ユニットが前記第１情報ガジェットと前記第２情報ガジェットとの間の距離が所定の距離よりも小さくないことを決定するようにさせるステップ（ｊ）と、
前記処理ユニットが前記第２情報ガジェットによって第２ファイルを取り込むようにさせるステップ（ｋ）と、
前記表示ユニットが前記処理ユニットから前記第２ファイルを受信して前記第２ファイル及び前記第２情報ガジェットの映像を表示するようにさせるステップ（ｌ）と、を更に含むことを特徴とする請求項２１に記載の対話型情報方法。
【請求項２３】
前記処理ユニットが前記第１情報ガジェットと前記第２情報ガジェットとの間の距離が所定の距離よりも小さいことを決定するようにさせるステップ（ｊ）と、
前記処理ユニットが前記情報ガジェットの相対位置によって前記情報ガジェットの順序を決定するようにさせるステップ（ｋ）と、
前記処理ユニットが前記順序によって前記第１情報ガジェットと前記第２情報ガジェットとの組合せを表すグループ化ＩＤコードを生成するようにさせるステップ（ｌ）と、を更に含み、
ここで、前記処理ユニットは前記グループ化ＩＤコードによって前記第１ファイルを取り込むことを特徴とする請求項２１に記載の対話型情報方法。
【請求項２４】
前記処理ユニットはネットワークサーバーに接続され、前記対話型情報方法は、
前記処理ユニットが前記ネットワークサーバーから学習材料を受信するようにさせるステップ（ｆ）を更に含むことを特徴とする請求項１４に記載の対話型情報方法。
【請求項２５】
前記処理ユニットが前記学習材料に関連する学習結果を記録して前記ネットワークサーバーに伝送するようにさせるステップ（ｇ）を更に含むことを特徴とする請求項２４に記載の対話型情報方法。
【請求項２６】
前記処理ユニットは認証サーバーに接続され、前記対話型情報方法は、
前記読み取り装置がアクティブガジェットを読み取り、そして前記アクティブガジェットに関連するアクティブ信号を生成するようにさせるステップ（ｈ）と、
前記処理ユニットが前記読み取り装置から前記アクティブ信号を受信し、前記アクティブ信号によって示される前記アクティブガジェットを識別して前記認証サーバーとアクティブプログラムを実行するようにさせるステップ（ｉ）と、を更に含むことを特徴とする請求項１８に記載の対話型情報方法。
【請求項２７】
第１伝送インタフェースと、データベースを記憶する記憶ユニットと、前記第１伝送インタフェース及び前記記憶ユニットに電気的に接続される処理ユニットと、前記処理ユニットに電気的に接続される第２伝送インタフェースと、前記第２伝送インタフェースに電気的に接続される前記出力装置、を備える対話型情報システムに用いられる対話型情報方法に用いられるプログラムを記憶するコンピュータ読み取り可能な媒体であって、
前記第１伝送インタフェースが信号を受信するようにさせるためのプログラムコードＡと、
前記処理ユニットが前記第１伝送インタフェースから前記信号を受信するようにさせるためのプログラムコードＢと、
前記処理ユニットが前記信号によって示される第１情報ガジェットを識別するようにさせるためのプログラムコードＣと、
前記処理ユニットが前記信号によって示される第２情報ガジェットを識別するようにさせるためのプログラムコードＤと、
前記処理ユニットが前記情報ガジェットの数が１よりも大きいことを決定するようにさせるためのプログラムコードＥと、
前記処理ユニットが前記第１情報ガジェットによって前記データベースから第１ファイルを取り込むようにさせるためのプログラムコードＦと、
前記第２伝送インタフェースが該第１ファイルを前記出力装置に伝送するようにさせるためのプログラムコードＧと、を含むことを特徴とするコンピュータ読み取り可能な媒体。
【請求項２８】
前記プログラムは、
前記処理ユニットが前記第１情報ガジェットと前記第２情報ガジェットとの間の距離が所定の距離よりも小さくないことを決定するようにさせるためのプログラムコードＨと、
前記処理ユニットが前記第２情報ガジェットによって第２ファイルを取り込むようにさせるためのプログラムコードＩと、
前記出力装置が前記第２伝送インタフェースを介して前記処理ユニットから前記第１ファイル及び前記第２ファイルを受信するようにさせるためのプログラムコードＪと、
前記出力装置が前記第１ファイル、前記第１情報ガジェットの映像、前記第２ファイル及び前記第２情報ガジェットの映像を出力するようにさせるためのプログラムコードＫと、を更に含むことを特徴とする請求項２７に記載のコンピュータ読み取り可能な媒体。
【請求項２９】
前記プログラムは、
前記処理ユニットが前記第１情報ガジェットと前記第２情報ガジェットとの間の距離が所定の距離よりも小さいことを決定するようにさせるためのプログラムコードＨと、
前記処理ユニットが前記情報ガジェットの相対位置によって前記情報ガジェットの順序を決定するようにさせるためのプログラムコードＩと、
前記処理ユニットが前記順序によって前記第１情報ガジェットと前記第２情報ガジェットとの組合せを表すグループ化ＩＤコードを生成するようにさせるためのプログラムコードＪと、
前記出力装置が前記第２伝送インタフェースを介して前記処理ユニットから前記第１ファイルを受信するようにさせるためのプログラムコードＫと、
前記出力装置が前記第１ファイルを出力するようにさせるためのプログラムコードＬとを更に含み、
ここで、前記プログラムコードＦは前記処理ユニットが前記グループ化ＩＤコードによって前記第１ファイルを取り込むようにさせることを特徴とする請求項２７に記載のコンピュータ読み取り可能な媒体。
【発明の詳細な説明】
【技術分野】
【０００１】
本発明は対話型情報システム、対話型情報方法及びそのコンピュータ読み取り可能な媒体に関する。具体的には、本発明はコンピュータ読み取り可能な媒体情報ガジェットの識別コードを読み取り、且つこの情報ガジェットに対応するファイルを出力する対話型情報システム、対話型情報方法及びそのコンピュータ読み取り可能な媒体に関する。
本出願は、２０１０年１月２５日に出願された米国仮出願番号６１／２９８，０３４号に基づく優先権を主張するものであり、前記米国仮出願の全内容は本出願において援用されている。
【背景技術】
【０００２】
従来の学習システムでは、一般に、一方向伝送の方式で学習材料を提供している。これは、一般に、学習システムからユーザーへ情報が出力されるが、ユーザーが自身の考えを表現することができないという意味である。このような方式では、ユーザーが学習システムから情報を被動的に獲得できるしかない。また、従来の学習システムは教材がいつも非常に単調で、且つユーザーとの交流の機会を提供しないため、ユーザーが教材に飽きやすい。
【０００３】
従って、このような技術には、情報交換応用における交流性を向上しそして興味を増すことのできる解決手段を提供することが差し迫った課題である。
【発明の概要】
【０００４】
本発明の１つの目的のは、対話型情報システムを提供することである。前記対話型情報システムは、第１伝送インタフェースと、記憶ユニットと、処理ユニットと、第２伝送インタフェースと、を備える。前記処理ユニットは前記第１伝送インタフェース、前記記憶ユニット及び前記第２伝送インタフェースに電気的に接続される。前記記憶ユニットはデータベースを記憶する。前記第１伝送インタフェースは信号を受信するように構成される。前記処理ユニットは前記第１伝送インタフェースから前記信号を受信し、前記信号によって示される情報ガジェットを識別し、そして前記情報ガジェットによって前記データベースからファイルを取り込むように構成される。前記第２伝送インタフェースは前記処理ユニットに電気的に接続され、前記ファイルを伝送するように構成される。
【０００５】
本発明のもう１つの目的は、対話型情報システムに用いられる対話型情報方法を提供することである。前記対話型情報システムは、第１伝送インタフェースと、データベースを記憶する記憶ユニットと、前記第１伝送インタフェース及び前記記憶ユニットに電気的に接続される処理ユニットと、前記処理ユニットに電気的に接続される第２伝送インタフェースと、を含む。前記対話型情報方法は、前記第１伝送インタフェースが信号を受信するようにさせるステップ（ａ）と、前記処理ユニットが前記第１伝送インタフェースから前記信号を受信するようにさせるステップ（ｂ）と、前記処理ユニットが前記信号によって示される情報ガジェットを識別するようにさせるステップ（ｃ）と、前記処理ユニットが前記情報ガジェットによって前記データベースからファイルを取り込むようにさせるステップ（ｄ）と、前記第２伝送インタフェースが前記ファイルを伝送するようにさせるステップ（ｅ）と、を含む。
【０００６】
本発明のさらにもう１つの目的は、コンピュータ読み取り可能な媒体を提供することである。前記コンピュータ読み取り可能な媒体は、対話型情報システムに用いられる対話型情報方法に用いられるプログラムを記憶する。前記対話型情報システムは、第１伝送インタフェースと、データベースを記憶する記憶ユニットと、前記第１伝送インタフェース及び前記記憶ユニットに電気的に接続される処理ユニットと、前記処理ユニットに電気的に接続される第２伝送インタフェースと、前記第２伝送インタフェースに電気的に接続される出力装置と、を含む。前記プログラムは、前記第１伝送インタフェースが信号を受信するようにさせるプログラムコードＡと、前記処理ユニットが前記第１伝送インタフェースから前記信号を受信するようにさせるプログラムコードＢと、前記処理ユニットが前記信号によって示される第１情報ガジェットを識別するようにさせるプログラムコードＣと、前記処理ユニットが前記信号によって示される第２情報ガジェットを識別するようにさせるプログラムコードＤと、前記処理ユニットが前記情報ガジェットの数が１よりも大きいことを決定ようにさせるプログラムコードＥと、前記処理ユニットが前記第１情報ガジェットによって前記データベースからファイルを取り込むようにさせるプログラムコードＦと、前記第２伝送インタフェースが前記ファイルを前記出力装置に伝送するようにさせるプログラムコードＧと、を含む。
【０００７】
以上をまとめると、本発明による対話型情報システム、対話型情報方法及びそのコンピュータ読み取り可能な媒体はデータベースからこの（これらの）情報ガジェットに対応するファイルを取り込んで出力する。これによって、本発明は従来技術の欠陥（即ち、従来の情報交換システムにおける交流性や興味の欠落）を克服して、情報交換応用における交流性や興味を向上することができる。
【０００８】
図面及び後述の実施の形態を参照すると、当業者は本発明の他の目的、本発明の技術手段及び実施の形態を理解できることとなろう。
【図面の簡単な説明】
【０００９】
【図１Ａ】本発明の第１実施例を示す模式図である。
【図１Ｂ】立方体情報ガジェットを示す模式図である。
【図１Ｃ】立方体情報ガジェットを示す模式図である。
【図１Ｄ】情報ガジェットを示す模式図である。
【図１Ｅ】情報ガジェットを示す模式図である。
【図１Ｆ】情報ガジェットを示す模式図である。
【図１Ｇ】本発明の第２実施例を示す模式図である。
【図１Ｈ】本発明の第２実施例の実例を示す。
【図２】本発明の第３実施例を示す模式図である。
【図３Ａ】本発明の第４実施例のフローチャートである。
【図３Ｂ】本発明の第４実施例のフローチャートである。
【図３Ｃ】本発明の第４実施例のフローチャートである。
【図３Ｄ】本発明の第４実施例のフローチャートである。
【図３Ｅ】本発明の第４実施例のフローチャートである。
【発明を実施するための形態】
【００１０】
本発明は、ユーザーが、異なる分野の知識を学習及び／又は理解することに役立つ、対話型情報システム、対話型情報方法及びそのコンピュータ読み取り可能な媒体を提供する。簡単に言えば、この対話型情報システムは複数の情報ガジェットに合わせて使用され得る。また、この情報ガジェットのそれぞれは特定分野の知識情報を記録している。ユーザーはこれらの情報ガジェットのうちの１つ又は幾つかを選択して、対話型情報システムに選択された情報ガジェットを表示させることができる。そして、この対話型情報システムは選択された情報ガジェットによって動作を行う。対話型情報システムが実行する機能によって、ユーザーは選択された情報ガジェットからこの特定分野の知識を学習できる。このため、この対話型情報システムは学習システムとして利用することができる。例えば、この対話型情報システムは、情報ガジェットに中国語情報が記録されている場合に中国語の学習とし、情報ガジェットに数学情報が記録されている場合に数学の学習とし、情報ガジェットにゲーム情報が記録されている場合にゲーム遊びとして利用されるように構成される。
【００１１】
以下、実施例を通じて本発明の内容を説明する。しかしながら、本発明の実施例は、本発明を実施例に記載のような如何なる環境、応用又は方式でしか実施できないように限定するものではない。このため、実施例に関する説明は本発明の目的を説明するためのものだけであり、本発明を直接に限定するものではない。以下の実施例及び図示において、本発明に直接に関しない素子は省略され、図示されておらず、また、図面における各素子間の寸法関係は理解を容易にするためのものであり、実際の寸法を限定するものではないことに留意されたい。
【００１２】
本発明の第１実施例は対話型情報システム１であり、その模式図が図１Ａに示される。対話型情報システム１は読み取り装置１１、第１伝送インタフェース１２、処理ユニット１３、記憶ユニット１４、第２伝送インタフェース１５及び出力装置１６を備える。処理ユニット１３は第１伝送インタフェース１２を介して読み取り装置１１に電気的に接続され、且つ第２伝送インタフェース１５を介して出力装置１６に電気的に接続される。処理ユニット１３は第１伝送インタフェース１２、第２伝送インタフェース１５及び記憶ユニット１４に電気的に接続される。記憶ユニット１４はデータベースを記憶する。図１Ａに対話型情報システム１に合わせて使用される複数の情報ガジェット１１１、１１２、１１３、…、１１４も示す。
【００１３】
本実施例では、対話型情報システム１はコンピュータであり、読み取り装置１１はネットワークカメラであり、出力装置１６は表示ユニット及び／又はスピーカーを備え、しかしながら、他の実施例では、これらの素子は他の装置に代えられてもよい。例えば、読み取り装置１１はバーコード読み取り装置又は情報ガジェット１１１、１１２、１１３、…、１１４の識別子を読み取り可能な他の装置に代えられてもよく、対話型情報システム１は携帯電話、個人用携帯型情報端末（ＰＤＡ，ｐｅｒｓｏｎａｌ  ｄｉｇｉｔａｌ  ａｓｓｉｓｔａｎｔ）、又はコンピュータ処理機能を有する他の計算装置に代えられてもよく、出力装置１６はモニター、ＬＣＤディスプレイ、ヘッドフォン又は情報を出力可能な他の装置に代えられてもよい。本実施例において、読み取り装置１１及び出力装置１６は対話型情報システム１の内蔵装置である。しかしながら、他の実施例では、読み取り装置１１又は出力装置１６はコンピュータに接続される外部装置であってもよい。ここで、読み取り装置１１又は出力装置１６のタイプについて、本発明は限定することなく実際の要求に応じて決定し、当業者が他の方式で読み取り装置１１又は出力装置１６を代えてもよいことに留意すべきである。
【００１４】
対話型情報システム１を詳細に説明する前、まず、情報ガジェットを説明する。本発明において、情報ガジェットは如何なる形状であってもよく、言い換えれば、情報ガジェットは立方体でもカード等でもよい。情報ガジェットは対話型情報システムによって識別可能な識別子を有する。これは、識別子が二次元バーコード、無線自動識別タグ等として実施されることを意味する。また、情報ガジェットは特定の知識分野（例えば、中国語、数学、物理、ゲーム等）に関連する内容を記録している。理解さを助けるために、以下、本発明の実例的な情報ガジェットを提供する。
【００１５】
図１Ｂ及び図１Ｃは情報ガジェット１１１の模式図を示し、これらの情報ガジェット１１１は立方体である。情報ガジェット１１１の識別子は二次元バーコード１１１ａである。情報ガジェット１１１は中国語の学習に用いられてもよい。これはその内容が中国語に関連するからである。具体的には、情報ガジェット１１１が記録した内容は簡体字中国語文字「▲愛▼」１１１ｂ、繁体字中国語文字「愛」１１１ｃ、英単語「Ｌｏｖｅ」１１１ｄ、愛を表す画像１１１ｅ及び発音記号１１１ｆを含む。図１Ｄ、図１Ｅ及び図１Ｆに、他の３つの情報ガジェット１１２、１１３、１１４を示す。それらはカードである。情報ガジェット１１２はその識別子を表す二次元バーコード１１２ａ、繁体字中国語文字「吃」１１２ｂ及び英単語「Ｅａｔ」１１２ｃを記録し、情報ガジェット１１３はその識別子を表す二次元バーコード１１３ａ、繁体字中国語文字「▲飯▼」１１３ｂ及び英単語「Ｍｅａｌ」１１３ｃを記録し、情報ガジェット１１４はその識別子を表す二次元バーコード１１４ａ、繁体字中国語フレーズ「發音」１１４ｂ及び英単語「ｐｒｏｎｏｕｎｃｅ」１１４ｃを記録している。
【００１６】
本発明において、記録している内容によって、情報ガジェットは機能性情報ガジェット又はデータ情報ガジェットに分類される。具体的には、本実施例において、情報ガジェットが記録した内容は情報（例えば、中国語文字）に対応すると、この情報ガジェットがデータ情報ガジェットに分類され、情報ガジェットが記録した内容は指令に対応すると、この情報ガジェットが機能性情報ガジェットに分類される。この分類規則により、情報ガジェット１１１、１１２、１１３がデータ情報ガジェットであり、情報ガジェット１１４が機能性情報ガジェットである。このデータ情報ガジェットのそれぞれ（即ち、情報ガジェット１１１、１１２、１１３）について、記憶ユニット１４に記憶されたデータベースとしていずれも少なくとも１つの対応したファイルが記憶されている。
【００１７】
そして、対話型情報システム１が提供する交流（相互作用）を説明する。対話型情報システム１の各交流は、いずれも情報ガジェット１１１、１１２、１１３、…、１１４のうちの１つ又は幾つかが、読み取り装置１１の読み取り範囲に置かれてから始まる。置かれた情報ガジェットの数が１である場合と１よりも大きい場合とで、対話型情報システム１の動作方式が異なっている。
【００１８】
以下、１つの単一の情報ガジェットが読み取り装置１１の読み取り範囲に置かれる場合を説明する。情報ガジェットが読み取り装置１１の読み取り範囲に置かれる場合に、読み取り装置１１はこの情報ガジェットの識別子を読み込んでこの識別子に関連する信号を生成する。それとともに、読み取り装置１１はこの情報ガジェット及び読み取り装置１１の前方のシーンを含む映像をリアルタイムで連続して取り込む。そして、読み取り装置１１は第１伝送インタフェース１２を介して処理ユニット１３にこの信号及び取り込んだ映像を伝送する。第１伝送インタフェース１２からこの信号及び取り込んだ映像を受信した後、処理ユニット１３はこの信号によって示される情報ガジェットを識別する。具体的には、処理ユニット１３はこの情報ガジェットでの識別子を識別することによってこの情報ガジェットを識別し、そしてこの情報ガジェットを表す識別コードを生成する。そして、処理ユニット１３は記憶ユニット１４が記憶したデータベースがこのＩＤコードに対応するファイルを記憶したかをチェックする。このデータベースがこのＩＤコードに対応するファイルを記憶すると、処理ユニット１３はこのＩＤコードによってこのファイルを取り込み、且つ第２伝送インタフェース１５を介してこのファイル及び取り込んだ映像を出力装置１６に伝送する。その後、出力装置１６はユーザーインタフェースに取り込んだ映像及びこのファイルを表示させる。このファイルは、そこに知識分野に関連する情報を記録した映像ファイル、ビデオファイル、オーディオファイル又はその組合せでよい。。
【００１９】
例えば、仮に情報ガジェット１１１が読み取り装置１１の読み取り範囲に置かれたとする。読み取り装置１１は情報ガジェット１１１の二次元バーコード１１１ａを読み取んで二次元バーコード１１１ａを表す信号１１１ｇを第１伝送インタフェース１１２に伝送する。読み取り装置１１は情報ガジェット１１１及び読み取り装置１１の前方のシーンを含む映像１２１をリアルタイムで連続して取り込んで第１伝送インタフェース１２に伝送する。処理ユニット１３は第１伝送インタフェース１２を介して信号１１１ｇ及び取り込んだ映像１２１を受信する。それとともに、処理ユニット１３は読み取り装置１１の読み取り範囲に情報ガジェットが１つのみ存在したと判断する。その後、処理ユニット１３は信号１１１ｇによって示されるＩＤコード１１１ｈを識別し、ＩＤコード１１１ｈによって記憶ユニット１４に記憶されたデータベースからファイル１１１ｉ（例えば、ビデオファイル及びオーディオファイルであり、このビデオファイルが繁体字中国語文字「愛」の書き順を示し、このオーディオファイルが繁体字中国語文字「愛」の発音を示す）を取り込み、そして第２伝送インタフェース１５を介して出力装置１６にファイル１１１ｉ及び取り込んだ映像１２１を伝送する。処理ユニット１３からファイル１１１ｉ及び取り込んだ映像１２１を受信した後、出力装置１６はユーザーインタフェースに取り込んだ映像１２１及びファイル１１１ｉ（即ち、出力装置１６の表示ユニットが英単語「Ｌｏｖｅ」の映像を表示し、出力装置１６のスピーカーが中国語文字「愛」の中国語発音（即ち、「ａｉ」）を放送する）を再生する。出力装置１６に表示されたファイル１１１ｉによって、ユーザーは繁体字中国語文字「愛」の書き順及び発音を学習することができる。
【００２０】
１個よりも多い（複数の）情報ガジェットが一緒に読み取り装置１１の読み取り範囲に置かれた場合に、処理ユニット１３はこれらの置かれた情報ガジェットに応じて、これらの置かれた情報ガジェットによって形成されたグループの数を決定する必要がある。
【００２１】
仮に２つの情報ガジェットが一緒に読み取り装置１１の読み取り範囲に置かれると、読み取り装置１１は置かれた情報ガジェットの二次元バーコードを読み込んでこれらの二次元バーコードがそれぞれ示す信号を第１伝送インタフェース１２に伝送する。それとともに、読み取り装置１１はこれらの情報ガジェット及び読み取り装置１１の前方のシーンを含む映像をリアルタイムで連続して取り込んで第１伝送インタフェース１２に伝送する。処理ユニット１３は第１伝送インタフェース１２を介してこれらの信号及び取り込んだ映像を受信し、そしてこれらの信号によって示されるＩＤコードを識別する。処理ユニット１３も２つの情報ガジェットが存在し、且つこれらの情報ガジェット間の距離が所定の距離よりも小さくないと判断する。これらの情報ガジェット間の距離が所定の距離よりも小さくないため、処理ユニット１３がそれぞれを処理する（即ち、２つのグループとして処理する）。このため、このＩＤコードのぞれぞれのいずれもについて、処理ユニット１３は記憶ユニット１４に記憶されたデータベースからファイルを取り込み、そして第２伝送インタフェース１５を介してこれらのファイル及び取り込んだ映像を出力装置１６に伝送する。第２伝送インタフェース１５からこれらのファイル及び取り込んだ映像を受信した後、出力装置１６はこれらのファイル及び取り込んだ映像を出力する。
【００２２】
これらの置かれた情報ガジェットによって１つのグループ（即ち、情報ガジェット間の距離が所定の距離よりも小さい）が形成された場合に、処理ユニット１３はこのグループが有意味なグループであるか無意味なグループであるかどうかを判断する必要がある。更に理解を容易にするために、ここで、複数の具体的な実例を挙げる。情報ガジェット１１２が情報ガジェット１１３の左方に置かれると、それによって形成されたグループは有意味なグループであり、それによって形成された中国語フレーズは「ご飯を食べる」という意味を有するからである。逆に、情報ガジェット１１３が情報ガジェット１１２の右方に置かれると、それによって形成されたグループは無意味である。情報ガジェット１１２が情報ガジェット１１４の左方に置かれると、それは有意味なグループである。１つの機能性情報ガジェットが存在するからである。以下、グループが有意味かどうかを判断する方法を説明する。
【００２３】
仮に読み取り装置１１の読み取り範囲に２つの情報ガジェットが置かれたとする。処理ユニット１３がこれらの情報ガジェット間の距離が所定の距離よりも小さいと判断した場合、処理ユニット１３は後にその相対位置によってその順序を判断する。処理ユニット１３は読み取り装置１１からこれらの情報ガジェットを表す二次元バーコードの信号を受信し、そしてこれらの信号によって示されるＩＤコードを識別する。その後、処理ユニット１３はこれらの情報ガジェットの順序によって、この２つのＩＤコードをこれらの情報ガジェットの組合せを表すグループ化ＩＤコードにグループ化し、そしてこのグループ化ＩＤコードが許容可能なグループ化ＩＤコードであるかどうかを判断する。このグループ化ＩＤコードが許容可能なグループ化ＩＤコードである場合、これらの情報ガジェットによって形成されたグループは有意味であり、そうでない場合は、無意味である。
【００２４】
以下、処理ユニット１３はこのグループ化ＩＤコードが許容可能なグループ化ＩＤコードであるかどうかをどのように判断するかについて説明する。具体的には、処理ユニット１３が２つのＩＤコードをグループ化ＩＤコードにグループ化した後、処理ユニット１３は記憶ユニット１４に記憶されたデータベースがこのグループ化ＩＤコードに対応するファイルを記憶したかどうかを更に検出する。あった場合には、処理ユニット１３はこのグループ化ＩＤコードが許容可能なグループ化ＩＤコードであると判断する。データベースにこのグループ化ＩＤコードに対応するファイルを記憶していないと、処理ユニット１３はこのグループ化ＩＤコードが許容可能なグループ化ＩＤコードではないと判断する。
【００２５】
グループ化ＩＤコードが許容可能なものではない場合に、処理ユニット１５３は記憶ユニット１４に記憶されたデータベースからエラーメッセージ１００を取り込み、そして第２伝送インタフェース１５を介してエラーメッセージ１００を出力装置１６に伝送する。第２伝送インタフェース１５からエラーメッセージ１００を受信した後、出力装置１６はエラーメッセージ１００を出力する。出力装置１６に表示されたエラーメッセージ１００によって、ユーザーはこれらの情報ガジェットによって形成されたグループが無意味であることが分かる。
【００２６】
処理ユニット１３がこのグループ化ＩＤコードが許容可能なグループ化ＩＤコードであると判断すると、処理ユニット１３は後に記憶ユニット１４に記憶されたデータベースからこの許容可能なグループ化ＩＤコードに対応するファイルを取り込み、そして第２伝送インタフェース１５を介してこのファイルを出力装置１６に伝送する。第２伝送インタフェース１５からこの許容可能なグループ化ＩＤコードに対応するファイルを受信した後、出力装置１６はこのファイルを出力することによって、ユーザーがこれらのグループ情報ガジェットの意味が分かるようにする。
【００２７】
以下、複数の実例を挙げて読み取り装置１１の読み取り範囲に１つ以上の情報ガジェットが置かれた場合の対話型情報システム１の詳細な動作を説明する。
【００２８】
第１実例は情報ガジェット１１２、１１３が一緒に読み取り装置１１の読み取り範囲に入るものである。読み取り装置１１は二次元バーコード１１２ａ、１１３ａを読み取り、二次元バーコード１１２ａ、１１３ａにそれぞれ対応する信号１１２ｇ、１１３ｇを第１伝送インタフェース１２に伝送する。それとともに、読み取り装置１１は情報ガジェット１１２、１１３及び読み取り装置１１の前方のシーンを含む映像１２２をリアルタイムで連続して取り込んで第１伝送インタフェース１２に伝送する。処理ユニット１３は第１伝送インタフェース１２を介して信号１１２ｇ、１１３ｇ及び取り込んだ映像１２２を受信する。そして、処理ユニット１３は２つの情報ガジェットが存在すると判断し、そして情報ガジェット１１２、１１３間の距離が所定の距離よりも小さいかどうかを判断する。情報ガジェット１１２、１１３間の距離が所定の距離よりも小さくないと、処理ユニット１３はそれぞれを処理する。具体的には、処理ユニット１３は信号１１２ｇによって示されるＩＤコード１１２ｈ（例えば０ｘ３３０）及び信号１１３ｇによって示されるＩＤコード１１３ｈ（例えば０ｘ３３２）を識別する。そして、処理ユニット１３はＩＤコード１１２ｈ及びＩＤコード１１３ｈによって、記憶ユニット１４に記憶されたデータベースから第１ファイル１１２ｉ（例えば、中国語文字「吃」の書き順を演示する動画）及び第２ファイル１１３ｉ（例えば、中国語文字「▲飯▼」の書き順を演示する動画）をそれぞれ取り込む。そして、処理ユニット１３は第２伝送インタフェース１５を介してファイル１１２ｉ、１１３ｉ及び取り込んだ映像１２２を出力装置１６に伝送する。第２伝送インタフェース１５からファイル１１２ｉ、１１３ｉ及び取り込んだ映像１２２を受信した後、出力装置１６はユーザーインタフェースに取り込んだ映像１２２とファイル１１２ｉ、１１３ｉをそれぞれ出力する。即ち、表示ユニットに中国語文字「吃」の書き順を演示する動画及び中国語文字「▲飯▼」の書き順を演示する動画をそれぞれ表示する。
【００２９】
処理ユニット１３は情報ガジェット１１２、１１３間の距離が所定の距離よりも小さいと判断すると、処理ユニット１３は後に情報ガジェット１１２、１１３の相対位置によって情報ガジェット１１２、１１３の順序を判断する。以下説明しようとする第１の場合は、情報ガジェット１１３が情報ガジェット１１２の左方に置かれる場合である。この場合に、情報ガジェット１１３、１１２の順序について、処理ユニット１３は情報ガジェット１１３が情報ガジェット１１２の前に位置すると判断し、これはＩＤコード１１３ｈがＩＤコード１１２ｈの前に位置することを意味する。そして、処理ユニット１３はＩＤコード１１２ｈ、１１３ｈの順序（即ち、情報ガジェット１１２、１１３の順序）によってグループ化ＩＤコード１２０ｈ（例えば０ｘ３３２−０ｘ３３０）を形成する。グループ化ＩＤコード１２０ｈを形成した後、処理ユニット１３はグループ化ＩＤコード１２０ｈが許容可能なグループ化ＩＤコードであるかどうかを判断する。本実例において、グループ化ＩＤコード１２０ｈが許容可能なグループ化ＩＤコードではない（即ち、記憶ユニット１４に記憶されたデータベースがこのグループ化ＩＤコードに対応するファイルを記憶しなかった）。このため、処理ユニット１３はこの許容不可能なグループ化ＩＤコードによって、記憶ユニット１４に記憶されたデータベースからエラーメッセージ１００を取り込み、そして第２伝送インタフェース１５を介してエラーメッセージ１００及び取り込んだ映像１２２を出力装置１６に伝送する。第２伝送インタフェース１５からエラーメッセージ１００及び取り込んだ映像１２２を受信した後、出力装置１はがユーザーインタフェースに取り込んだ映像１２２及びエラーメッセージ１００を出力する。出力装置１６に表示されるエラーメッセージ１００によって、ユーザーは情報ガジェット１１３が情報ガジェット１１２左方に置かれることが無効であることが分かる。即ち、中国語フレーズ「▲飯▼吃」は無意味である。
【００３０】
情報ガジェット１１２が情報ガジェット１１３左方に置かれると、情報ガジェット１１２、１１３の順序について、処理ユニット１３は情報ガジェット１１２が情報ガジェット１１３の前に位置すると判断し、これはＩＤコード１１２ｈがＩＤコード１１３ｈの前に位置することを意味する。そして、処理ユニット１３はグループ化ＩＤコード１２１ｈ（例えば０ｘ３３０−０ｘ３３２）を形成し、そしてグループ化ＩＤコード１２１ｈは許容可能なグループ化ＩＤコードであると判断する（即ち、記憶ユニット１４に記憶されたデータベースにこのグループ化ＩＤコードに対応するファイルを記憶している）。そして、処理ユニット１３は許容可能なグループ化ＩＤコード１２１ｈによって、記憶ユニット１４に記憶されたデータベースからファイル１２１ｉ（例えば、中国語フレーズ「吃▲飯▼」に対する解釈）を取り込み、そして第２伝送インタフェース１５を介してファイル１２１ｉ及び取り込んだ映像１２２を出力装置１６に伝送する。第２伝送インタフェース１５から学習材料１２１ｉ及び取り込んだ映像１２２を受信した後、出力装置１６はユーザーインタフェースに取り込んだ映像１２２及びファイル１２１ｉ（即ち、中国語フレーズ「吃▲飯▼」に対する解釈）を出力する。
【００３１】
以下、もう１つの実例を挙げる。仮に情報ガジェット１１２、１１４が一緒に読み取り装置１１の読み取り範囲に置かれたとする。同様に、読み取り装置１１は二次元バーコード１１２ａ、１１４ａを読み取り、そして二次元バーコード１１２ａ、１１４ａをそれぞれ表す信号１１２ｇ、１１４ｇを第１伝送インタフェース１１に伝送する。処理ユニット１３は第１伝送インタフェース１１を介して信号１１２ｇ、１１４ｇを受信し、且つ信号１１２ｇ、１１４ｇによってそれぞれ示されるＩＤコード１１２ｈ、１１４ｈを識別する。それとともに、処理ユニット１３は情報ガジェット１１２、１１４間の距離が所定の距離よりも小さいと判断し、グループ化ＩＤコードを形成する。処理ユニット１３は更にこのグループ化ＩＤコードが許容可能なＩＤコードであると判断し、そして処理ユニット１３はこのグループ化ＩＤコードによって、記憶ユニット１４に記憶されたデータベースからこのグループ化ＩＤコードに対応するファイル１１４ｉを取り込む。情報ガジェット１１４が発音を表すため、ファイル１１４ｉは繁体字中国語文字「吃」の音声である。そして、処理ユニット１３はファイル１１４ｉを出力装置１６に伝送する。出力装置１６はスピーカーを備えるため、学習材料１１４ｉ（即ち、音声）を再生できる。
【００３２】
情報ガジェットに対して操作を実行することに加え、対話型情報システム１はさらにネットワークサーバーから学習材料をダウンロードすることができる。このような場合に、対話型情報システム１の処理ユニット１３は更にネットワークサーバーに直接、又はネットワーク（図示せず）を介して接続される。処理ユニット１３はネットワークサーバーから学習材料を受信し、且つ第２伝送インタフェース１５を介してこの学習材料を出力装置１６に伝送する。このような方式により、ユーザーは対話型情報システム１からネットワークサーバーによって提供されるより多い情報を取得できる。これらの情報は情報ガジェットに限られない。また、対話型情報システム１の処理ユニット１３は更にネットワークサーバーから受信した学習材料に関連する学習結果を記録し、且つ学習結果をネットワークサーバーに伝送してユーザーの学習過程を追跡することができる。
【００３３】
以上の説明は、情報ガジェットがどのように対話型情報システム１と交流するかを例示したが、対話型情報システム１を利用する前、認証手続きが必要となる可能性がある。この認証手続きを実行した後、ユーザーは対話型情報システムによって提供する交流を始める権限を与えられる。このような場合に、対話型情報システム１の処理ユニット１３は更に認証サーバーに直接、又はネットワーク（図示せず）を介して接続される。この認証手続きは認証情報に関連するＩＤコードを記録したアクティブガジェットから始まる。以下、対話型情報システム１がこの認証手続きをどのように実行するかを説明する。
【００３４】
読み取り装置１１はこのアクティブガジェットのＩＤコードを読み取り、このアクティブガジェットのＩＤコードに関連するアクティブ信号を生成する。そして、読み取り装置１１は第１伝送インタフェース１２を介してアクティブ信号を処理ユニット１３に伝送する。第１伝送インタフェース１２からアクティブ信号を受信した後、処理ユニット１３はこのアクティブ信号によって示されるＩＤコードを識別し、且つ認証サーバーとアクティブプログラムを実行する。このアクティブプログラムを実行した後、認証サーバーは正当であるとのメッセージ（正当メッセージ）を処理ユニット１３に伝送し、処理ユニット１３は第２伝送インタフェース１５を介して正当メッセージを出力装置１６に伝送する。出力装置１６に表示される正当メッセージによって、ユーザーは対話型情報システム１が既に使用に備えたことが分かる。
【００３５】
本発明の第２実施例は対話型情報システム１ａであり、その模式図が図１Ｇに示される。読み取り装置１１が入力装置１１ａに代えらた他、対話型情報システム１ａは対話型情報システム１と同一である。このため、対話型情報システム１ａの構成及び対話型情報システム１ａの各素子間の接続については詳細には述べない。
【００３６】
入力装置１１ａはユーザーによって制御されてよい。ユーザーが入力装置１１ａを用いて選択を実行した場合、入力装置１１ａはこの選択に関連する信号を生成する。本実施例では、入力装置１１ａはマウスである。他の実施例では、それをタッチパネル又は他のユーザーからコードを受信可能な装置に取り代えてもよい。
【００３７】
以下、第１実施例と第２実施例との間の相違を説明する。第２実施例では、出力装置１６は表示ユニットであり、情報ガジェットはユーザーが入力装置を用いて選択を達成する前の時点からこの表示ユニットに表示されて始まる。図１Ｈは第２実施例における表示ユニットが表示したフレーム１８の実例を示す。フレーム１８は、選択された情報ガジェットを表示するための第１サブフレーム１８１及び選択される複数の情報ガジェットを表示するための第２サブフレーム１８３を含む。具体的には、表示ユニットは、選択のためのメニューバーとして、複数の情報ガジェット（即ち、情報ガジェット１８３ａ、１８３ｂ、１８３ｃ、及び１８３ｄ）を表示する。ユーザーが入力装置１１ａを用いて少なくとも１つの情報ガジェットを選択した場合、入力装置１１ａはこの選択に関連する信号を生成する。本実施例では、仮にユーザーがマウス（即ち、入力装置１１ａ）を用いて第１情報ガジェットを選択したこととする。入力装置１１ａはこの選択に関連する信号を生成する。そして、処理ユニット１３ａは第１伝送インタフェース１２ａを介してこの信号を受信する。本実例では、情報ガジェット１８１ａが選択されて第１サブフレーム１８１に表示される。
【００３８】
第１伝送インタフェース１２ａからこの信号を受信した後、処理ユニット１３ａはこの信号によって示される第１情報ガジェットを表すＩＤコードを識別する。そして、処理ユニット１３ａは記憶ユニット１４ａからこのＩＤコードに対応する第１ファイルを取り込む。この実例では、第１ファイルは第１サブフレーム１８１に表示される映像ファイル１８１ｂであり、情報ガジェット１８１ａの意味を示す。
【００３９】
次の操作及び機能は第１実施例と同一である。当業者は上記第１実施例に基づいて第２実施例がどのようにこれらの操作及び機能を実行するかを直接了解できるので、さらに詳細には述べない。
【００４０】
本発明の第３実施例は対話型情報ネットワーク２であり、その模式図が図２に示される。対話型情報ネットワーク２は通信ネットワーク２０、サーバー２１及び複数のユーザー端末２２、２３、２４、２５を含み、これらの装置が有線又は無線の方式で通信ネットワーク２０を介して接続されている。本実施例では、通信ネットワーク２０はインターネットであるが、他の実施例において、他のネットワークに取り替えられてもよい。このユーザー端末２２、２３、２４のそれぞれは読み取り装置及び出力装置を含み、例えば第１実施例に記載した読み取り装置１１及び出力装置１６が挙げられる。サーバー２１は、第１実施例における対話型情報システム１として、第１伝送インタフェース、第２伝送インタフェース、処理ユニット及び記憶ユニットを含む。
【００４１】
情報ガジェットがユーザー端末２２の読み取り装置の読み取り範囲に入る場合に、ユーザー端末２２の読み取り装置は情報ガジェットの二次元バーコードを読み取り、この二次元バーコードを表す信号をサーバー２１に伝送する。サーバー２１の処理ユニットは通信ネットワーク２０を介してこの信号を受信する。ユーザー端末２２がこの信号を受信した後、サーバー２１の処理ユニットはこの信号によって示されるＩＤコードを識別する。そして、サーバー２１の処理ユニットはこのＩＤコードによって、サーバー２１の記憶ユニットからファイルを取り込んで通信ネットワーク２０を介してユーザー端末２２に伝送する。サーバー２１がこのファイルを受信した後、ユーザー端末２２の出力装置はこのファイルを出力する。
【００４２】
サーバー２１とユーザー端末２２との間の交流に加え、ユーザー端末２２とユーザー端末２３との間の交流を構築してもよい。以下、更に詳細に説明する。ユーザー端末２２の読み取り装置が情報ガジェットの二次元バーコードを読み取り、且つこの二次元バーコードを表す信号をサーバー２１に伝送した後、サーバー２１の処理ユニットはこの信号を受信し、且つこの信号によって示されるＩＤコードを識別する。そして、サーバー２１の処理ユニットはサーバー２１の記憶ユニットに記憶されるデータベースからこのＩＤコードに対応するファイルを取り込む。そして、サーバー２１の処理ユニットは通信ネットワーク２０を介してこのファイルをユーザー端末２２及びユーザー端末２３に伝送する。サーバー２１がこのファイルを受信した後、ユーザー端末２２の出力装置及びユーザー端末２３の出力装置はこのファイルを出力する。
【００４３】
以上をまとめると、当業者は、対話型情報ネットワーク２のいずれか２つの装置の間に交流を発生することができるが、これについての詳細はここで述べない。上記した機能に加え、サーバー２１は第１実施例に記載した対話型情報システム１のすべての操作及び機能を実行することができる。当業者は上記第１実施例に基づいて第３実施例のサーバー２１がどのようにこれらの操作及び機能を実行するかを直接了解できる。これについての詳細はここでは述べない。
【００４４】
図３Ａ〜図３Ｅは本発明の第４実施例を示し、例えば第１実施例に記載した対話型情報システム１に用いられる対話型情報方法である。更に具体的には、第４実施例の対話型情報方法はコンピュータプログラム製品として実施されて良い。このコンピュータプログラム製品がコンピュータにロードされて、そこに含まれた複数のプログラムコードが実行された場合に、第４実施例の対話型情報方法を達成することができる。このコンピュータプログラム製品は、例えばＲＯＭ、フラッシュメモリ、フロッピー（登録商標）ディスク、ハードディスク、コンパクトディスク、モビールディスク、磁気テープ、ネットワークによってアクセス可能なデータベース又は当業者に知られ且つ同一機能を有するいずれかの他の記憶媒体などのコンピュータ読み取り可能な記録媒体に記憶されてよい。
【００４５】
第４実施例の対話型情報方法は以下のステップを含む。まず、１つ又は複数の情報ガジェットが読み取り装置の読み取り範囲に入る場合に、読み取り装置が情報ガジェット（又は複数の情報ガジェット）を読み取り、且つこの（これらの）情報ガジェットに関連する信号を生成するようにさせるステップ３０１を実行し、そして、読み取り装置が読み取り装置の前方のシーンの映像をリアルタイムで連続して取り込み、そしてこの信号及び取り込んだ映像を処理ユニットに伝送するようにさせるステップ３０２を実行する。そして、処理ユニットが第１伝送インタフェースを介して読み取り装置からこの信号及び取り込んだ映像を受信するようにさせるステップ３０３を実行し、そして、処理ユニットがこの信号によって示されるＩＤコードを識別するようにさせるステップ３０４を実行する。ステップ３０４の後、処理ユニットが情報ガジェットの数が１よりも大きいかどうかを判断するようにさせるステップ３０５を実行する。
【００４６】
ステップ３０５の判断結果が「ＮＯ」であると、実行しようとするステップについて、図３Ｃを参照する。処理ユニットがＩＤコードによって記憶ユニットに記憶されたデータベースからファイルを取り込むようにさせるステップ３０６を実行する。そして、処理ユニットが第２伝送インタフェースを介してこのファイル及び取り込んだ映像を出力装置に伝送するようにさせるステップ３０７を実行する。最後に、表示ユニットがユーザーインタフェースに読み出したこのシーンの映像及びこのファイルを連続して表示させるようにさせるステップ３０８を実行する。
【００４７】
ステップ３０５における判断結果が情報ガジェットの数が１よりも大きいと、処理ユニットが更に情報ガジェット間の距離が所定の距離よりも小さいかどうかを判断するようにさせるステップ３０９を実行する。判断結果が「ＮＯ」であると、実行しようする次のステップについて、図３Ｄを参照する。処理ユニットがこのＩＤコードのそれぞれによって、記憶ユニットに記憶されたデータベースからファイルを取り込むようにさせるステップＳ３１０を実行する。そして、処理ユニットが第２伝送インタフェースを介してこのファイル及び取り込んだ映像を出力装置に伝送するようにさせるステップ３１１を実行する。最後に、表示ユニットがユーザーインタフェースに取り込んだこのシーンの映像及びこのファイルを連続して表示させるようにさせるステップ３１２を実行する。
【００４８】
ステップ３０９の判断結果が「ＹＥＳ」であると、次に、処理ユニットが情報ガジェットの相対位置によって情報ガジェットの順序を決定するようにさせるステップ３１３を実行する。実行しようとするステップについて、図３Ｂを参照する。そして、処理ユニットがこの順序によってこの情報ガジェットの組合せを表すグループ化ＩＤコードを生成するようにさせるステップ３１４を実行する。そして、処理ユニットがこのグループ化ＩＤコードが許容可能なグループ化ＩＤコードであるかどうかを判断するようにさせるステップ３１５を実行する。そうではない場合は、実行しようとする次のステップについて、図３Ｅを参照する。処理ユニットが記憶ユニットに記憶されたデータベースからエラーメッセージを取り込むようにさせるステップ３１６を実行する。そして、処理ユニットが第２伝送インタフェースを介してこのエラーメッセージ及び取り込んだ映像を出力装置に伝送するようにさせるステップ３１７を実行する。最後に、表示ユニットがユーザーインタフェースに読み出したこのシーンの映像及びこのエラーメッセージを連続して表示させるようにさせるステップ３１８を実行する。
【００４９】
ステップ３１５でこのグループ化ＩＤコードが許容可能なグループ化ＩＤコードと決定されると、処理ユニットがこのグループ化ＩＤコードによって記憶ユニットに記憶されたデータベースからファイルを取り込むようにさせるステップ３１９を実行する。そして、処理ユニットが第２伝送インタフェースを介してこのファイル及び取り込んだ映像を出力装置に伝送するようにさせるステップ３２０を実行する。最後に、表示ユニットがユーザーインタフェースに取り込んだこのシーンの映像及びこのファイルを連続して表示させるようにさせるステップ３２１を実行する。
【００５０】
上記ステップに加え、第４実施例は第１実施例、第２実施例及び第３実施例に記載したすべての操作及び機能を実行することができる。当業者は上記第１実施例、第２実施例及び第３実施例に基づいて第４実施例がどのようにこれらの操作及び機能を実行するかを直接了解できるので、ここで詳細は述べない。
【００５１】
以上をまとめると、処理ユニットが読み取り装置からＩＤコード（例えば二次元バーコード）を受信した場合に、処理ユニットは記憶ユニットに記憶されたデータベースから情報ガジェットに対応するファイルを取り込んで出力装置に伝送する。そして、出力装置は処理ユニットが受信したファイルを出力する。これによって、本発明は従来技術の欠陥（即ち、従来の情報交換システムにおける交流性や興味の欠落）を克服する。
【００５２】
上記した実施例は、本発明の実施の態様を例示し、且つ本発明の技術的な特徴を説明したもので、本発明の保護範囲を限定するものではない。当業者が容易にできる変更や置換えのいずれも本発明の技術的範囲に含まれる。本発明の技術的範囲は特許請求の範囲を基準とすべきである。
【符号の説明】
【００５３】
１：対話型情報システム                  １ａ：対話型情報システム
２：対話型情報ネットワーク              １１：読み取り装置
１１ａ：入力装置                        １２：第１伝送インタフェース
１２ａ：第１伝送インタフェース          １３：処理ユニット
１３ａ：処理ユニット                    １４：記憶ユニット
１４ａ：記憶ユニット                    １５：第２伝送インタフェース
１５ａ：第２伝送インタフェース          １６：出力装置
１６ａ：出力装置                        １８：フレーム
２０：通信ネットワーク                  ２１：サーバー
２２、２３、２４、２５：ユーザー端末    １００：エラーメッセージ
１１１：情報ガジェット                  １１１ａ：二次元バーコード
１１１ｂ：簡体字中国語文字「▲愛▼」    １１１ｃ：繁体字中国語文字「愛」
１１１ｄ：英単語「Ｌｏｖｅ」            １１１ｅ：愛を表す画像
１１１ｆ：発音記号                      １１１ｇ：信号
１１１ｈ：ＩＤコード                    １１１ｉ：ファイル
１１２：情報ガジェット                  １１２ａ：二次元バーコード
１１２ｂ：繁体中国語文字「吃」          １１２ｃ：英単語「Ｅａｔ」
１１２ｇ：信号                          １１２ｈ：ＩＤコード
１１２ｉ：第１ファイル                  １１３：情報ガジェット
１１３ａ：二次元バーコード              １１３ｂ：繁体字中国語文字「▲飯▼」
１１３ｃ：英単語「Ｍｅａｌ」            １１３ｇ：信号    
１１３ｈ：ＩＤコード                    １１３ｉ：第２ファイル
１１４：情報ガジェット                  １１４ａ：二次元バーコード
１１４ｂ：繁体字中国語フレーズ「發音」  １１４ｃ：英単語「ｐｒｏｎｏｕｎｃｅ」
１１４ｇ：信号                          １１４ｈ：ＩＤコード
１１４ｉ：ファイル                      １２０ｈ：グループ化ＩＤコード
１２１：映像                            １２１ｈ：グループ化ＩＤコード
１２１ｉ：ファイル                      １２２：映像
１８１：第１サブフレーム                １８１ａ：情報ガジェット
１８１ｂ：映像ファイル                  １８３：第２サブフレーム
１８３ａ、１８３ｂ、１８３ｃ、１８３ｄ：情報ガジェット
【図１Ａ】
2013518292.tif 000003
【図１Ｂ】
2013518292.tif 000004
【図１Ｃ】
2013518292.tif 000005
【図１Ｄ】
2013518292.tif 000006
【図１Ｅ】
2013518292.tif 000007
【図１Ｆ】
2013518292.tif 000008
【図１Ｇ】
2013518292.tif 000009
【図１Ｈ】
2013518292.tif 000010
【図２】
2013518292.tif 000011
【図３Ａ】
2013518292.tif 000012
【図３Ｂ】
2013518292.tif 000013
【図３Ｃ】
2013518292.tif 000014
【図３Ｄ】
2013518292.tif 000015
【図３Ｅ】
2013518292.tif 000016
【国際調査報告】
2013518292.tif 000017
2013518292.tif 000018
2013518292.tif 000019